(57)【要約】【課題】強度面に秀れ取り扱い性に秀れた画期的な面状発熱体を提供する。【解決手段】発熱導体２を基板１上に配設し、前記発熱導体２が通電により発熱する面状発熱体であって、前記発熱導体２は少なくとも複数並設状態に配設される蛇行状パターン部Ｐを有し、この蛇行状パターン部Ｐは、発熱導体２を配設する前記基板１面をＸ−Ｙ平面とした際、Ｙ方向に長さを有する直線状部ａを折り返し部ｂを介して連設状態にＸ方向に多数並設することでＸ方向に延設する蛇行形状とし、Ｙ方向に並設する一対の蛇行状パターン部Ｐの中間部位置にＸ方向に仮想境界線Ｌを引線した場合に、この並設する一対の蛇行状パターン部Ｐ夫々が、折り返し部ｂ若しくは折り返し部ｂを介して連設する一対の直線状部ａを前記仮想境界線Ｌと交差するように前記発熱導体２の各蛇行状パターン部Ｐの形状を設定した面状発熱体。【選択図】図１
0003125136.tif 000002
【実用新案登録請求の範囲】
【請求項１】
金属薄箔を所定のパターン形状に形成した発熱導体をフィルムや薄板などの柔軟性を有する基板上に配設し、前記発熱導体が通電により発熱する面状発熱体であって、前記発熱導体は少なくとも複数並設状態に配設される蛇行状パターン部を有し、この蛇行状パターン部は、発熱導体を配設する前記基板面をＸ−Ｙ平面とした際、Ｙ方向に長さを有する直線状部を折り返し部を介して連設状態にＸ方向に多数並設することでＸ方向に延設する蛇行形状とし、Ｙ方向に並設する一対の蛇行状パターン部の中間部位置にＸ方向に仮想境界線を引線した場合に、この並設する一対の蛇行状パターン部が、折り返し部，若しくは折り返し部を介して連設する一対の直線状部を前記仮想境界線と交差するように前記発熱導体の各蛇行状パターン部の形状を設定したことを特徴とする面状発熱体。
【請求項２】
Ｙ方向に並設状態に配設する蛇行状パターン部は、互いに対向する側に形成する複数の各折り返し部同志が、互いに対向する位置に配置されるように前記発熱導体の各蛇行状パターン部の形状を設定したことを特徴とする請求項１記載の面状発熱体。
【請求項３】
Ｙ方向に並設状態に配設する一対の蛇行状パターン部の中間部位置にＸ方向に仮想境界線を引線した場合に、この並設する一対の蛇行状パターン部が交互に、折り返し部，若しくは折り返し部を介して連設する一対の直線状部を前記仮想境界線と交差するように前記発熱導体の各蛇行状パターン部Ｐの形状を設定したことを特徴とする請求項１，２のいずれか１項に記載の面状発熱体。
【請求項４】
金属薄箔を所定のパターン形状に形成した発熱導体をフィルムや薄板などの柔軟性を有する基板上に配設し、前記発熱導体が通電により発熱する面状発熱体であって、前記発熱導体は蛇行状パターン部を有し、この蛇行状パターン部は、発熱導体を配設する前記基板面をＸ−Ｙ平面とした際、Ｙ方向に長さを有する直線状部を折り返し部を介して連設状態にＸ方向及びＹ方向に多数配設する蛇行形状とし、この蛇行状パターン部は、Ｙ方向に対向する折り返し部間に形成される間隙を対向間隙部とすると、Ｘ方向に隣合う対向間隙部同志が異なるＹ座標位置となるように設定した部位を有することを特徴とする面状発熱体。
【考案の詳細な説明】
【技術分野】
【０００１】
本考案は、例えばヒーターや各種装置等の熱源として使用される面状発熱体に関するものである。
【背景技術】
【０００２】
従来から、種々の用途に供される面状発熱体が提案されている。
【０００３】
この面状発熱体は、例えば、特開平０６−２９０８５９号公報（特許文献１）に示すように、基板上に配設された金属薄箔性の発熱導体に通電することで、この発熱導体が電気抵抗により発熱する構成で、例えば、この面状発熱体を付設した箇所を前記発熱によって加熱するものである。
【０００４】
このような面状発熱体の製造方法の一般例を以下に説明する。
【０００５】
先ず、図６（ａ）に図示したように、所定厚の金属薄箔２’の下面を接着剤３によって基板１（絶縁フィルム）に接着して、基板１上に金属薄箔２’を配設する。
【０００６】
次いで、図６（ｂ）に図示したように、この金属薄箔２’の上面に所望のパターンのエッチングレジスト（保護印刷）を施して保護層４を形成する。
【０００７】
次いで、図６（ｃ）に図示したように、エッチング液（塩化第二鉄溶液）によって前記金属薄箔２’の前記保護層４を形成していない部位、即ちエッチングレジストを施していない部位を溶解する。これにより、金属薄箔２’の前記エッチングレジストを施した部位、即ち前記所望のパターンの部位だけが溶解されず残存する。
【０００８】
次いで、図６（ｄ）に図示したように、水酸化ナトリウム溶液などの保護層除去液により金属薄箔２’から前記保護層４を除去することで、基板１上に所望のパターン形状の発熱導体２が得られる。
【０００９】
その後、この基板１上にして発熱導体２上に、端子部６用の端子孔６ａが穿設され且つ熱可塑性接着剤７が塗工された絶縁フィルム５を熱接着し、前記端子部６に電線を接続した後、この端子部６を適宜絶縁加工を行う。
【００１０】
以上のように、この種の面状発熱体は金属薄箔をエッチングすることで所望のパターン形状の発熱導体を構成している。この発熱導体のパターン形状としては、一般に図７に図示したような蛇行状のパターン形状が一般的である。
【００１１】
【特許文献１】特開平０６−２９０８５９号公報
【考案の開示】
【考案が解決しようとする課題】
【００１２】
しかしながら、本出願人は、この種の面状発熱体において、図７に図示したような従来の発熱導体のパターン形状には次のような欠点を有することを見出した。
【００１３】
即ち、従来の発熱導体のパターン形状は、図７に図示したように、基板１面をＸ−Ｙ平面と想定した場合に、Ｙ方向に長さを有する直線状部ａを折り返し部ｂを介して連設状態にＸ方向に多数配設することでＸ方向に延設した蛇行形状の蛇行状パターン部Ｐ（図７中、点線枠で囲ったパターン範囲）を、Ｙ方向に複数並設状態に配設（図７では、一対並設状態に配設）した形状が一般的である。
【００１４】
従って、従来の発熱導体２のパターン形状の場合、基板１上の発熱導体２の蛇行状パターン部Ｐが配設された部位は、図９（図７のＢ−Ｂ断面図）に図示したように、発熱導体２が所定間隔で複数配設されているものの、図８（図７のＡ−Ａ断面図）に図示したように、基板１上の発熱導体２の並設する蛇行状パターン部Ｐ間には、発熱導体２の無い部位（以下、間隙スペース）がＸ方向に直線的且つ長い範囲に形成される。
【００１５】
つまり、基板１には、Ｙ方向に並設する一対の蛇行状パターン部Ｐの中間部位置に引線した仮想境界線Ｌのラインに沿って、直線的且つ長い範囲に上記間隙スペースが形成されてしまう。この基板１の間隙スペースは、他の部位に比して機械的強度に劣り、曲がり易く、よって、例えば面状発熱体に曲げストレスが付与された場合、基板１の間隙スペースで急激に曲がりが生じ、それにより基板１や、発熱導体２の蛇行状パターン部Ｐ同志を連設する部位（図７中、斜線で示した前記発熱導体２の一部分）が折れ曲がり変形（損傷）してしまう懸念があるなど強度上の問題を有した。
【００１６】
特に、被加熱物に面状発熱体を装着する際、例えば両面テープを用いて被加熱物の表面に面状発熱体（基板）を貼設する場合には、面状発熱体を少し曲げて端部から空気を押し出すように徐々に貼設していくが、この際、上記の間隙スペースに達すると、この間隙スペースにおいては機械的強度が無いため、急激な曲がりが発生して、これによりシワや空気溜まりが発生し易いだけでなく、この急激な曲がりにより前記発熱導体２の蛇行状パターン部Ｐ同志を連設する部分（図８中、右端に配された発熱導体２の一部分）が折れ曲がって損傷する場合もあるなど、面状発熱体を貼り付ける際の作業上の問題を有した。
【００１７】
本考案は、上述のような問題点に鑑みて完成したもので、これまでの面状発熱体が有する実用上の欠点を解決し得た画期的な面状発熱体を提供することを課題とする。
【課題を解決するための手段】
【００１８】
添付図面を参照して本考案の要旨を説明する。
【００１９】
金属薄箔２’を所定のパターン形状に形成した発熱導体２をフィルムや薄板などの柔軟性を有する基板１上に配設し、前記発熱導体２が通電により発熱する面状発熱体であって、前記発熱導体２は少なくとも複数並設状態に配設される蛇行状パターン部Ｐを有し、この蛇行状パターン部Ｐは、発熱導体２を配設する前記基板１面をＸ−Ｙ平面とした際、Ｙ方向に長さを有する直線状部ａを折り返し部ｂを介して連設状態にＸ方向に多数並設することでＸ方向に延設する蛇行形状とし、Ｙ方向に並設する一対の蛇行状パターン部Ｐの中間部位置にＸ方向に仮想境界線Ｌを引線した場合に、この並設する一対の蛇行状パターン部Ｐが、折り返し部ｂ，若しくは折り返し部ｂを介して連設する一対の直線状部ａを前記仮想境界線Ｌと交差するように前記発熱導体２の各蛇行状パターン部Ｐの形状を設定したことを特徴とする面状発熱体に係るものである。
【００２０】
また、Ｙ方向に並設状態に配設する蛇行状パターン部Ｐは、互いに対向する側に形成する複数の各折り返し部ｂ同志が、互いに対向する位置に配置されるように前記発熱導体２の各蛇行状パターン部Ｐの形状を設定したことを特徴とする請求項１記載の面状発熱体に係るものである。
【００２１】
また、Ｙ方向に並設状態に配設する一対の蛇行状パターン部Ｐの中間部位置にＸ方向に仮想境界線Ｌを引線した場合に、この並設する一対の蛇行状パターン部Ｐが交互に、折り返し部ｂ，若しくは折り返し部ｂを介して連設する一対の直線状部ａを前記仮想境界線Ｌと交差するように前記発熱導体２の各蛇行状パターン部Ｐの形状を設定したことを特徴とする請求項１，２のいずれか１項に記載の面状発熱体に係るものである。
【００２２】
また、金属薄箔を所定のパターン形状に形成した発熱導体２をフィルムや薄板などの柔軟性を有する基板１上に配設し、前記発熱導体２が通電により発熱する面状発熱体であって、前記発熱導体２は蛇行状パターン部Ｐを有し、この蛇行状パターン部Ｐは、発熱導体２を配設する前記基板１面をＸ−Ｙ平面とした際、Ｙ方向に長さを有する直線状部ａを折り返し部ｂを介して連設状態にＸ方向及びＹ方向に多数配設する蛇行形状とし、この蛇行状パターン部Ｐは、Ｙ方向に対向する折り返し部ｂ間に形成される間隙を対向間隙部ｓとすると、Ｘ方向に隣合う対向間隙部ｓ同志が異なるＹ座標位置となるように設定した部位を有することを特徴とする面状発熱体に係るものである。
【考案の効果】
【００２３】
本考案は上述のように構成したから、基板の部分的な強度低下（蛇行状パターン部間に発熱導体の配されない部位が直線的且つ長い範囲に形成され、その部位が局所的に強度不足となってしまうこと）を阻止でき、それだけ従来例に比して基板面全体での強度を均一とすることができる。
【００２４】
よって、本考案は、例えば面状発熱体を被加熱物に貼り付ける際に、基板の部分的な強度不足によって生ずる急激な曲がりを気にせず効率良く貼り付け作業が行え、それだけ貼り付け時の作業性の向上を確実に図ることができ、しかも前記急激な曲がりによる基板や発熱導体の折れ曲がり（損傷）や、貼り付けシワや空気溜まりも生じにくい為、それだけ貼り付け後の仕上がりも良好とすることができるなど、取り扱い性に極めて秀れた画期的で実用性の高い面状発熱体となる。
【００２５】
また、請求項４記載の考案においては、発熱導体を、Ｙ方向に長さを有する直線状部を折り返し部を介して連設状態にＸ方向及びＹ方向に多数配設する蛇行形状の蛇行状パターン部を有する形状とした場合に、この蛇行状パターン部のＹ方向に対向する折り返し部間の間隙を対向間隙部とすると、Ｘ方向に隣合う対向間隙部同志が異なるＹ座標位置となるように設定した部位を有するように前記蛇行状パターン部の形状を設定しているので、それだけ基板に前記発熱導体の配設されない前記対向間隙部が直線的且つ長い範囲に形成されることは阻止される。
【００２６】
従って、請求項４記載の考案においては、それだけ従来例に比して基板面全体での強度を均一とすることができ、これにより基板の部分的な（局所的な）強度不足を阻止でき、よって、強度面に秀れると共に被加熱物への貼り付け時の作業性や仕上がりの向上を図り得るなど、取り扱い性に秀れた画期的で実用性の高い面状発熱体となる。
【考案を実施するための最良の形態】
【００２７】
好適と考える本考案の実施形態（考案をどのように実施するか）を、図面に基づいて本考案の作用を示して簡単に説明する。
【００２８】
本考案は、フィルムや薄板などの柔軟性を有する基板１上に発熱導体２を配設し、通電により前記発熱導体２が発熱する面状発熱体であって、前記発熱導体２は、金属薄箔２’を所定のパターン形状に形成したものである。
【００２９】
具体的には、発熱導体２を、少なくとも複数並設状態に配設される蛇行状パターン部Ｐを有するパターン形状に形成している。
【００３０】
この蛇行状パターン部Ｐは、発熱導体２を配設する前記基板１面をＸ−Ｙ平面として想定した場合に、Ｙ方向に長さを有する直線状部ａを折り返し部ｂを介して連設状態にＸ方向に多数並設することでＸ方向に延設した蛇行形状である。
【００３１】
本考案の発熱導体２は、この蛇行状パターン部ＰをＹ方向に複数（少なくとも一対）並設した形状である。具体的には、例えば、Ｙ方向に並設状態に配設する一対の蛇行状パターン部Ｐは、互いに対向する側に形成する複数の各折り返し部ｂ同志が、互いに対向する位置に配設されるように設定して、蛇行状パターン部Ｐを互いに対向側の各折り返し部ｂ同志をＹ方向に対向させた状態に並設した形状に前記発熱導体２を形成する。
【００３２】
しかも本考案では、Ｙ方向に並設する一対の蛇行状パターン部Ｐの中間部位置にＸ方向に仮想境界線Ｌを引線した場合に、この一対の蛇行状パターン部Ｐが、折り返し部ｂ，若しくは折り返し部ｂを介して連設する一対の直線状部ａを前記仮想境界線Ｌと交差するように各蛇行状パターン部Ｐの形状を設定している。
【００３３】
つまり、本考案の発熱導体２は、例えば図１に図示したように、並設する一対の蛇行状パターン部Ｐの中間部位置に引線した仮想境界線Ｌのライン上の複数箇所に、確実に発熱導体２が配されることとなる（図２（図１のＡ−Ａ断面図）参照）。
【００３４】
例えば、図７に図示した従来例のように、単に蛇行状パターン部ＰをＹ方向に複数並設した形状とすると、仮にこの並設する一対の蛇行状パターン部Ｐの中間部位置に仮想境界線Ｌを引線した場合に、この仮想境界線Ｌに前記一対の蛇行状パターン部Ｐは交差せず、よって、図８（図７のＡ−Ａ断面図）に図示したように、蛇行状パターン部Ｐ間の前記仮想境界線Ｌのラインに沿って、発熱導体２が無い部位（間隙スペース）が直線的且つ長い範囲に生じてしまい、これが、基板１の部分的な強度低下や、部分的に極端に曲がり易いといった強度上の問題の原因となる。
【００３５】
この点、本考案は、例えば図１に図示したように、並設する一対の蛇行状パターン部Ｐの中間部位置に引線した仮想境界線Ｌに対して、この一対の蛇行状パターン部Ｐの双方が交差し、よってこの仮想境界線Ｌのライン上の複数箇所に確実に発熱導体２が配されるパターン形状である。
【００３６】
よって、本考案は、それだけ基板１の部分的な強度低下（即ち、前記間隙スペースにより強度劣化）を軽減でき、従来に比して基板１面が均一な強度を有する構成とすることができる。それ故、例えば基板１に曲げストレスが付与された際にも、従来例のように基板１が蛇行状パターン部Ｐ間の間隙スペースで急激に曲がってしまうことなく、基板１が全体的に弓なりに湾曲することとなる。
【００３７】
即ち、本考案の面状発熱体を所望の被加熱物に貼り付ける際、基板１が部分的に急激に曲がることが無いから、急激な折れ曲がりによる貼り付けの失敗（シワや空気溜まりが生ずる）や、前記急激な折れ曲がりによる基板１，発熱導体２の折れ曲がり変形（損傷）を気にせずに前記貼り付け作業が行えるため、よって、強度面に秀れると共に貼り付け時の作業性の向上を確実に図り得、また貼り付け後の仕上がりも良好とすることができる画期的な面状発熱体となる。
【００３８】
尚、例えば、Ｙ方向に並設状態に配設する一対の蛇行状パターン部Ｐの中間部位置にＸ方向に仮想境界線Ｌを引線した場合に、この並設する一対の蛇行状パターン部Ｐが交互に、折り返し部ｂ若しくは折り返し部ｂを介して連設する一対の直線状部ａを前記仮想境界線Ｌと交差するように前記発熱導体２の各蛇行状パターン部Ｐの形状を設定すれば、前記仮想境界線Ｌのライン上の一層多数の箇所に前記発熱導体２が確実に配されることとなり、よって、上述の本考案の秀れた作用効果を一層確実且つ良好に発揮できる構成となる。
【００３９】
また、請求項４記載の考案においては、発熱導体２は蛇行状パターン部Ｐを有し、この蛇行状パターン部Ｐは、発熱導体２を配設する前記基板１面をＸ−Ｙ平面とした際、Ｙ方向に長さを有する直線状部ａを、折り返し部ｂを介して連設状態にＸ方向及びＹ方向に多数配設する形状とした面状発熱体である。
【００４０】
例えば、図５に図示したように、蛇行状パターン部Ｐを、直線状部ａを折り返し部ｂを介して連設状態にＸ方向及びＹ方向にランダムに多数配設した蛇行形状とした際、Ｙ方向に対向する折り返し部ｂ間に形成される間隙（発熱導体２の配されない部位）を対向間隙部ｓとする。仮にこの対向間隙部ｓが、Ｘ方向に直線的且つ長い範囲に形成されると、その部位にて基板１の強度が部分的に劣り曲がり易くなってしまう（基板１に強度が低く曲がり易い部位が生じてしまう）が、この点、本考案では、例えば直線状部ａの長さを一定ではなく長短様々とするなどして、Ｘ方向に隣合う対向間隙部ｓ同志が異なるＹ座標位置となるように設定した部位を有するように前記蛇行状パターン部Ｐを形成しているので、それだけ基板１に前記対向間隙部ｓがＸ方向に直線的且つ長い範囲に形成されること（即ち、基板１に部分的に強度の劣る曲がり易い部位が生じてしまうこと）を阻止でき、それだけ基板１面の部分的な（局所的な）強度不足を回避でき、従来例の面状発熱体に比して強度面の向上，並びに貼り付け時の作業性や貼り付け後の仕上がりの向上を確実に図り得る画期的な面状発熱体となる。
【実施例】
【００４１】
本考案の具体的な実施例について図面に基づいて説明する。
【００４２】
本実施例は、図１に図示したように、金属薄箔２’を所定のパターン形状に形成した発熱導体２をフィルムや薄膜などの柔軟性を有する基板１上に配設した構成で、前記発熱導体２が通電により発熱する面状発熱体であり、例えば、ヒーターや、各種装置等の熱源などに使用されるものである。
【００４３】
金属薄箔２’には、ステンレス箔（厚さ略３０μｍ）を採用し、この金属薄箔２’をエッチング処理により所望のパターン形状の発熱導体２としている。
【００４４】
この金属薄箔２’を接着剤３にて基板１上に貼り合わせた上で、エッチング処理を施すことで、図２及び図３に図示したように、基板１上に所定のパターン形状の発熱導体２を配設した構成である。尚、基材１には、ポリイミドフィルム（厚さ略２５μｍ）を採用する。
【００４５】
具体的には、基板１上に接着剤３により貼り合わせて配設した金属薄箔２’上にエッチングレジスト（保護印刷）を施して、例えば図６（ｂ）に図示したように所定パターンの保護層４を金属薄箔２’上に設けた上で、塩化第二鉄溶液により前記金属薄箔２’の前記保護層４が配されていない部位を腐食させて（図６（ｃ）参照）、所定パターン形状の発熱導体２を構成し、続いて、水酸化ナトリウム溶液により前記保護層４を除去し（図６（ｄ）参照）、予め端子部６用の端子孔６ａの穿設が為された絶縁フィルム５を熱可塑性接着剤７（本実施例では耐熱性粘着剤）により前記基板１上にして発熱導体２上に被覆状態に貼り合わせて構成したものである（図６（ｅ）参照）。
【００４６】
尚、基板１上にして発熱導体２上に絶縁材料として配設される前記熱可塑性接着剤７（耐熱性粘着材）は、絶縁性のシリコン系粘着剤７を採用し、また、絶縁フィルム５にはポリイミドフィルム（厚さ略２５μｍ）を採用する。
【００４７】
上述したエッチング処理は、上記従来例に記載した慣例方と同様の方法である。また、基材１や接着剤３は、エッチング処理に使用するエッチング液（例えば、塩化第二鉄溶液）や、エッチング時の保護層除去に使用する液（例えば、水酸化ナトリウム溶液）などの各薬液に対する耐久性を有し、且つ絶縁性を有するものであればどのようなものを採用しても良く、また、金属薄箔２’についても、この種の面状発熱体の発熱導体として使用し得る電気的抵抗性を有し且つ上記エッチング処理が可能なものであればどのようなものを採用しても良い。
【００４８】
上述の通り金属薄箔２’をエッチング処理して構成した発熱導体２は、少なくとも複数並設状態に配設される蛇行状パターン部Ｐを有するパターン形状に形成している。
【００４９】
この蛇行状パターン部Ｐは、発熱導体２を配設する前記基板１面をＸ−Ｙ平面とした際、Ｙ方向に長さを有する直線状部ａを折り返し部ｂを介して連設状態にＸ方向に多数並設することでＸ方向に延設する蛇行形状としている。尚、図１中では、基板１面の短手方向（上下方向）をＹ方向とし、長手方向（左右方向）をＸ方向としている。
【００５０】
本実施例では、図１に図示したように、発熱導体２は一対の蛇行状パターン部ＰをＹ方向に所定間隔を介して並設状態に配設したパターン形状としている。具体的には、一端側（図１中、左端側）に端子部６を有する一対の蛇行状パターン部ＰをＹ方向に並設し、夫々の前記端子部６と反対の他端側（図１中、右端側）に位置する直線上部ａ同志をＹ方向に結線することで、一対の端子部６間に連続する線形によって描かれる蛇行状のパターン形状としている。
【００５１】
また、この発熱導体２のＹ方向に並設する一対の蛇行状パターン部Ｐの互いに対向する側に形成される複数の各折り返し部ｂ同志は、互いにＹ方向に対向する位置に配置されるように設定している。
【００５２】
本実施例では、この発熱導体２のＹ方向に並設する一対の蛇行状パターン部Ｐの互いに対向する側に形成した折り返し部ｂが、例えば図７に図示したように等しいＹ座標位置でＸ方向に複数並設された構成とせず、折り返し部ｂの位置がＹ方向に上下する形状としている。
【００５３】
具体的には、図１に図示したように、Ｙ方向に並設する一対の蛇行状パターン部Ｐのうちの一方の蛇行状パターン部Ｐは、対向する側の各折り返し部ｂが交互に上下する凹凸形状とし、この凹凸形状と対応した凸凹形状に他方の蛇行状パターン部Ｐの対向する側の折り返し部ｂの位置を設定している。
【００５４】
以上のように形成した発熱導体２のパターン形状は、図１に図示したように、発熱導体２のＹ方向に並設する一対の蛇行状パターン部Ｐの中間部位置にＸ方向に仮想境界線Ｌを引線した場合に、この並設する一対の蛇行状パターン部Ｐ夫々が、折り返し部ｂ，若しくは折り返し部ｂを介して連設する一対の直線状部ａを前記仮想境界線Ｌと交差する形状（本実施例では、一対の蛇行状パターン部Ｐが互いに対向する側に形成した各折り返し部ｂを夫々、前記仮想境界線Ｌと交互に交差する形状）としている。
【００５５】
本実施例は上述のように構成したから、図１のＢ−Ｂ断面図である図３に図示したように、基板１上の前記蛇行状パターン部Ｐを配設した部位には発熱導体２が配されることとなるのは勿論、図１のＡ−Ａ断面図である図２に図示したように、並設する一対の蛇行状パターン部Ｐの中間部位置に引線した仮想境界線Ｌに沿ったライン上にも確実に発熱導体２が確実に配されるように発熱導体２のパターン形状を設定している。その為、基板１に発熱導体２の配されない（即ち、それだけ強度の低い）部位が直線的且つ長い範囲に形成されることは阻止され、それだけ基板１に部分的な強度不足が生ぜず、基板１面全体での強度を従来例に比して均一とすることができる。
【００５６】
よって、本実施例は、例えば面状発熱体を両面テープ等により被加熱物に貼り付ける際（面状発熱体を少し曲げて端部から空気を押し出すように徐々に貼設していく際）にも、基板１の部分的な強度不足によって生ずる急激な曲がりを気にすることなく効率良く貼り付け作業が行え、それだけ貼り付け時の作業性の向上を確実に図ることができ、しかも前記急激な曲がりによる基板１や発熱導体２の折れ曲がり（損傷）や、貼り付けシワや空気溜まりも生じにくい為、それだけ貼り付け後の仕上がりも良好とすることができるなど、取り扱い性に極めて秀れた画期的で実用性の高い面状発熱体となる。
【００５７】
尚、図４及び図５は、本実施例の別例を示す図である。
【００５８】
詳述すると、図４は、発熱導体２が一組の蛇行状パターン部ＰをＹ方向に並設して成るパターン形状としたもので、前記一組の蛇行状パターン部Ｐにより平面視において略円形を呈するパターン形状となるように、各蛇行状パターン部Ｐの直線状部ａの長さをＸ方向に徐々に長短変化する形状に形成したものである（尚、図４中、上下方向をＹ方向，左右方向をＸ方向としている）。
【００５９】
また、図５に図示した本実施例の別例は、発熱導体２のパターン形状を、図１のように、Ｘ方向に延設される単純な蛇行形状（波形状）の蛇行状パターン部ＰがＹ方向に複数並設状態に配設された構成とせずに、図５に図示したように、Ｙ方向に長さを有する直線状部ａが、折り返し部ｂを介して連設状態にＸ方向及びＹ方向に多数配設して、Ｘ方向及びＹ方向にランダムに延設された蛇行形状の蛇行状パターン部Ｐを有するパターン形状に前記発熱導体２を構成したものである（尚、図５中、上下方向をＹ方向，左右方向をＸ方向としている）。また、図５に図示したように、この別例では、蛇行状パターン部ＰのＹ方向に対向する折り返し部ｂ間に形成される間隙を対向間隙部ｓとすると、Ｘ方向に隣合う各対向間隙部ｓ同志が夫々異なるＹ座標位置となるように、Ｘ方向に隣合う直線状部ａの長さをランダムに長短変化させた形状としている。仮に、隣合う対向間隙部ｓ同志のＹ座標位置がきれいにそろっている形状だった場合、前記発熱導体２が配されない（即ち、強度の弱い）部位が基板１に直線的に形成され、これが基板１の部分的な強度不足を生じさせてしまうが、この点、図５に図示した形状の場合には、Ｘ方向に隣合う対向間隙部ｓ同志が異なるＹ座標位置となるように設定しているので、それだけ基板１に前記発熱導体２が配されない（即ち、強度の弱い）部位が直線的且つ長い範囲に形成されることを阻止し、それだけ基板１面全体が均一な強度を有すように構成しており、これにより、基板１に部分的な強度不足が生ずることを阻止し、それだけ基板１の強度アップを図ったものである。
【００６０】
尚、本考案は、本実施例に限られるものではなく、各構成要件の具体的構成は適宜設計し得るものである。
【図面の簡単な説明】
【００６１】
【図１】本実施例に係る面状発熱体の説明平面図である。
【図２】図１のＡ−Ａ断面図である。
【図３】図２のＢ−Ｂ断面図である。
【図４】本実施例に係る面状発熱体の別例を示す説明平面図である。
【図５】本実施例に係る面状発熱体の別例を示す説明断面図である。
【図６】本実施例に係る面状発熱体の製造方法を示す説明図である。
【図７】従来例を示す説明平面図である。
【図８】図７のＡ−Ａ断面図である。
【図９】図７のＢ−Ｂ断面図である。
【符号の説明】
【００６２】
１  基板
２  発熱導体
２’  金属薄箔
Ｌ  仮想境界線
Ｐ  蛇行状パターン部
ａ  直線状部
ｂ  折り返し部
ｓ  対向間隙部
【図１】
0003125136.tif 000003
【図２】
0003125136.tif 000004
【図３】
0003125136.tif 000005
【図４】
0003125136.tif 000006
【図５】
0003125136.tif 000007
【図６】
0003125136.tif 000008
【図７】
0003125136.tif 000009
【図８】
0003125136.tif 000010
【図９】
0003125136.tif 000011